(57)【要約】【課題】  広告を読む人の注意及び興味を惹き起こさせ、確実に広告を読むようにさせ、広告の効果を生じさせること。【解決手段】  複数層からなる広告用印刷物において、当該広告用印刷物の左側端部及び右側端部が開かないようになっていること，上部及び下部に剥離可能な接着剤が塗布されていること，複数層の所定の箇所に切り取り部分が設けられていること，からなる。さらに、前記複数層が、２層又は３層であること、前記切り取り部分が、２層の上の層の略中心に設けられていること、前記切り取り部分が、２層の上の層の左側及び右側の２箇所に設けられていること、前記切り取り部分が、３層の中の層の略中心及び上の層の略中心の２箇所に設けられていること、前記左側端部及び／又は右側端部が開いている場合は接着剤で接着し、開かないようにすることである。【選択図】  図１
0003115649.tif 000002
【実用新案登録請求の範囲】
【請求項１】
複数層からなる広告用印刷物において、当該広告用印刷物の左側端部及び右側端部が開かないようになっていること，上部及び下部に剥離可能な接着剤が塗布されていること，複数層の所定の箇所に切り取り部分が設けられていること，からなることを特徴とする切り取り部分を有する広告用印刷物。
【請求項２】
前記複数層が、２層又は３層であることを特徴とする請求項１記載の切り取り部分を有する広告用印刷物。
【請求項３】
前記切り取り部分が、２層の上の層の略中心に設けられていることを特徴とする請求項１記載の切り取り部分を有する広告用印刷物。
【請求項４】
前記切り取り部分が、２層の上の層の左側及び右側の２箇所に設けられていることを特徴とする請求項１記載の切り取り部分を有する広告用印刷物。
【請求項５】
前記切り取り部分が、３層の中の層の略中心及び上の層の略中心の２箇所に設けられていることを特徴とする請求項１記載の切り取り部分を有する広告用印刷物。
【請求項６】
前記左側端部及び／又は右側端部が開いている場合は接着剤で接着し、開かないようにすることを特徴とする請求項１記載の切り取り部分を有する広告用印刷物。
【考案の詳細な説明】
【技術分野】
【０００１】
本考案は、複数層からなる広告用印刷物において、複数層の所定の箇所に切り取り部分を有する広告用印刷物に関する。
【背景技術】
【０００２】
従来より、広告用印刷物は表面及び裏面に広告が掲載されているのが一般的である。
しかし、表面及び裏面の広告のみでは、広告を見る人にさほどの注意及び興味をもってもらえず、ほとんど見ないか、又はチョット見た程度終わってしまい広告の内容をよく見てもらえないという問題点があった。
【考案の開示】
【考案が解決しようとする課題】
【０００３】
そこで、本考案は、広告を読む人の注意及び興味を惹き起こさせ、確実に広告を読むようにさせ、広告の効果を生じさせることを目的とする。
【課題を解決するための手段】
【０００４】
前記目的を達成するため、本考案の切り取り部分を有する広告用印刷物は、複数層からなる広告用印刷物において、当該広告用印刷物の左側端部及び右側端部が開かないようになっていること，上部及び下部に剥離可能な接着剤が塗布されていること，複数層の所定の箇所に切り取り部分が設けられていることからなる。
【０００５】
又、前記複数層が、２層又は３層であることが好適である。
【０００６】
又、前記切り取り部分が、２層の上の層（上側の用紙）の略中心に設けられていることが好適である。
【０００７】
又、前記切り取り部分が、２層の上の層（上側の用紙）の左側及び右側の２箇所に設けられていることが好適である。
【０００８】
又、前記切り取り部分が、３層の中の層（下側の用紙）の略中心及び上の層（上側の用紙）の略中心の２箇所に設けられていることが好適である。
【０００９】
さらに、前記左側端部及び／又は右側端部が開いている場合は接着剤で接着し、開かないようにすることが好適である。
【考案の効果】
【００１０】
本考案は切り取り部分を切り取らないと中の広告を見ることが出来ないので、それにより広告を読む人の注意及び興味を惹き起こすことが出来、確実に広告を読むように仕向けることが出来、広告の効果を生じさせることが出来るものである。
【考案を実施するための最良の形態】
【００１１】
本考案の実施の形態の例を図面にしたがって説明する。
図１は実施例１を示すものであり、１枚の用紙を２枚に折ろうとする状態を示す図である。
１枚の用紙の中心２を基準として右側１’から左側１に折る。矢印は折る方向を示している。左側の用紙１の端部３に接着剤が塗布され、かつ左側の用紙１の上部４及び下部４’には剥離可能な接着剤が塗布され、左側の用紙１と右側の用紙１’が貼着するようになっている。接着剤は左側の用紙１でなく右側の用紙１’の端部に塗布しても良いし、左側の用紙１及び右側の用紙１’の端部、両方に塗布しても良い。又剥離可能な接着剤も同様に左側の用紙１でなく右側の用紙１’の上部、下部に塗布しても良いし、左側の用紙１及び右側の用紙１’の端部両方に塗布しても良い。
【００１２】
図２は１枚の用紙を中心より折って貼着した状態を示す図である。
右側の用紙１’、即ち上側の用紙１’の略中心に切り取り部分５が設けられ、接着剤が塗布され接着した部分に折り目６が設けられている。切り取り部分５はジッパー加工したものである。
【００１３】
図３は切り取り部分を切り取り、開いた状態を示す図である。
左側の用紙１の上部４及び下部４’に塗布されているのは剥離可能な接着剤なので、切り取り部分５を切り取ることにより、容易に左右に開くことが出来、左側の用紙１の左側は折り目６で折るようにし、左右に開くことにより、中に記載されている内容、即ち広告の内容を見ることが出来るものである。
【００１４】
図４は実施例２を示すものであり、１枚の用紙を中心で合致するように左側及び右側から折ろうとする状態を示す図である。
左側の用紙７及び右側の用紙７’を中心８に合致するように折る。２つの矢印は折る方向を示している。左側の用紙７及び右側の用紙７’の端部９，９’には接着剤が塗布され、左側の用紙７の上部１０及び下部１０’，並びに右側の用紙７’の上部１１及び下部１１’には剥離可能な接着剤が塗布されている。
【００１５】
図５は１枚の用紙を左右から中心で合致するように折って貼着した状態を示す図である。
１枚の用紙を左右から中心８で折り接着し、左側の用紙７及び右側の用紙７’の略中心に切り取り部分１２，１２’を設け、左側の用紙７及び右側の用紙７’の右端部及び左端部（中心に近い箇所）に折り目１３，１３’が設けられている。
切り取り部分１２，１２’はジッパー加工したものである。
【００１６】
図６は左側の用紙及び右側の用紙に設けられた切り取り部分を切り取り、開いた状態を示す図である。
左側の用紙７及び右側の用紙７’の上部１０，１１及び下部１０’，１１’に塗布されているのは剥離可能な接着剤なので切り取り部分１２，１２’を切り取ることにより左側の用紙７を左右に及び右側の用紙７’を左右に容易に開くことが出来、左側の用紙７の右側は折り目１３で折り、右側の用紙の左側は折り目１３’で折るようにする。左側の用紙７及び右側の用紙７’を左右に開くことにより、中に記載されている内容、即ち広告の内容を見ることが出来るものである。
【００１７】
図７は実施例３を示すものであり、１枚の用紙の一方側を内側に、他方側を外側に折ろうとする状態を示す図である。
左側の用紙１４を右側の折り部１５’に合致するように、かつ右側の用紙１４’を左側の折り部１５に合致するように折る。２つの矢印は折る方向を示している。右側の折り部１５’、左側の折り部１５は１枚の用紙の略１／３に相当する部分である。左側の用紙１４及び右側の用紙１４’の端部１６，１６’には接着剤が塗布され、左側の用紙の上部１７及び下部１７’，右側の用紙の上部１８及び下部１８’には剥離可能な接着剤が塗布されている。
【００１８】
図８は１枚の用紙の一方側を内側に、他方側を外側に折って貼着した状態を示す図である。
１枚の用紙を一方側、本図面では左側の用紙１４を内側（下側）に右側の折り部１５’に合致するように、他方側、本図面では右側の用紙１４’を外側（上側）に左側の折り部１５に合致するように折り、貼着し、右側の用紙１４’の略中心に切り取り部分１１を設け、右側の用紙１４’の左側の端部には折り目２０が設けられている。
【００１９】
図９は右側の用紙（上側の用紙）の切り取り部分を切り取り、左右に開いた状態を示す図である。
右側の用紙１４’の左、右の上部１８，下部１８’に塗布されているのは剥離可能な接着剤なので切り取り部分１９を切り取ることにより容易に左右に開くことが出来る。
右側の用紙１４’の左側は折り目２０で折るようにし、左右に開くことにより中に記載されている内容、即ち広告の内容を見ることが出来るものであるが、右側の用紙１４’を左右に開くと左側の用紙１４があり、その左側の用紙１４の略中心に切り取り部分２２が設けられ、右端部の接着剤が塗布され接着した部分には折り目２１が設けられている。
【００２０】
図１０は左側の用紙（下側の用紙）の切り取り部分を切り取り左右に開いた状態を示す図である。
図９において、右側の用紙（上側の用紙）１４’を開いた状態を示したが、図１０ではさらに左側の用紙（下側の用紙）１４の切り取り部分２２を切り取り、開いた状態を示したものである。したがって、この実施例３では３層の広告用紙を示しているものである。
【００２１】
図１０には示していないが、図７をみれば分かるように、左側の用紙１４の上部１７及び下部１７’に塗布されているのは剥離可能な接着剤なので切り取り部分２２を切り取ることにより容易に左右に開くことが出来る。
左側の用紙１４の右側は折り目２１で折るようにし、左右に開くことにより中に記載されている内容、即ち広告の内容を見ることが出来る。
【００２２】
実施例１〜３において、本考案は、切り取り部分を切り取り左右に開くまでは中にどのような内容が記載されているか全く分からないものである。したがって広告を見るものにとっては中に何が記載されているか注意及び興味を惹くものである。
【００２３】
本考案における白紙の部分は広告等を記載する部分である。
【００２４】
本実施例では２層及び３層を示したが、同様の方法で４層以上の複数層の場合にも適用出来るものである。
【図面の簡単な説明】
【００２５】
【図１】１枚の用紙を２枚に折ろうとする状態を示す図である。
【図２】１枚の用紙を中心より折って貼着した状態を示す図である。
【図３】切り取り部分を切り取り、開いた状態を示す図である。
【図４】１枚の用紙を中心で合致するように左側及び右側から折ろうとする状態を示す図である。
【図５】１枚の用紙を左右から中心で合致するように折って貼着した状態を示す図である。
【図６】左側の用紙及び右側の用紙に設けられた切り取り部分を切り取り、開いた状態を示す図である。
【図７】１枚の用の一方側を内側に、他方側を外側に折ろうとする状態を示す図である。
【図８】１枚の用紙の一方側を内側に、他方側を外側に折って貼着した状態を示す図である。
【図９】右側の用紙（上側の用紙）の切り取り部分を切り取り、左右に開いた状態を示す図である。
【図１０】左側の用紙（下側の用紙）の切り取り部分を切り取り、左右に開いた状態を示す図である。
【符号の説明】
【００２６】
１，７，１４  左側の用紙
１’，７’，１４’  右側の用紙
２，８  中心
３，９，１６  左側の用紙の端部
４，１０，１７  左側の用紙の上部
４’，１０’，１７’  左側の用紙の下部
５，１２，１２’，１９，２２  切り取り部分
６，１３，１３’，２０，２１  折り目
９’，１６’  右側の用紙の端部
１１，１８  右側の用紙の上部
１１’，１８’  右側の用紙の下部
１５  左側の折り部
１５’  右側の折り部
【図１】
0003115649.tif 000003
【図２】
0003115649.tif 000004
【図３】
0003115649.tif 000005
【図４】
0003115649.tif 000006
【図５】
0003115649.tif 000007
【図６】
0003115649.tif 000008
【図７】
0003115649.tif 000009
【図８】
0003115649.tif 000010
【図９】
0003115649.tif 000011
【図１０】
0003115649.tif 000012